(57)【要約】【課題】接写に必要な光源として液晶モニタのバックライトを使用する場合、カメラの構造が複雑化したり、液晶モニタ上の被写体像の確認が困難となる。また、液晶モニタおよびバックライトユニットを被写体に近接させて光を照射し、ファインダ接眼レンズで被写体像を捉える場合には、パララックスが大きくなる。【解決手段】デジタルスチルカメラ１０内に、液晶表示パネル２０側のみならずカメラ前面１０Ｆ側にも光を放射するバックライトユニット１８を設ける。さらに、カメラ前面１０Ｆに開閉自在なバックライトカバー１６を設けて、デジタルスチルカメラ１０の構造を複雑化することなく、バックライトユニット１８から放射される光を、接写時に選択的に被写体へ照射することができる。この時撮影者は、ファインダ接眼レンズ１１Ｂを介さずに液晶カバー２４上で被写体像を確認できるため、パララックスの影響なく接写を行うことができる。【選択図】    図５
2004272158.tif 000002
【特許請求の範囲】
【請求項１】
撮影光学系により形成される被写体像を表示するための液晶パネルと、
被写体のある第１の方向と、被写体像の視認のため前記液晶パネルの位置する第２の方向へ光を同時に放射する光源部と、
前記第１の方向に向けて放射される光を、通常撮影時には遮蔽し、接写時には被写体へ伝達可能にする接写部材とを備えることを特徴とするデジタルカメラ。
【請求項２】
前記接写部材が、被写体と前記光源部との間に配置され、接写時に、前記光源部からの光が被写体へ伝達されるように退避することを特徴とする請求項１に記載のデジタルカメラ。
【請求項３】
前記接写部材が、カメラ表面の一部を構成するとともに、開閉するための開閉部材を有し、
通常撮影時にはカメラ本体内に設けられた前記光源部からの光を遮蔽するためカメラ表面の一部を構成するように閉じてあり、接写時には被写体へ光を前記第１の方向に沿って伝達するため開くことを特徴とする請求項２に記載のデジタルカメラ。
【請求項４】
前記光源部が、光を放射する光源と、
前記光源と前記液晶パネルとの間に配置され、前記光源からの光を前記液晶パネル全体に向けて放射する放射面と、
前記接写部材と前記放射面の間に配置されるとともに、前記接写部材と対向し、前記光源からの光を前記放射面へ導く導光部材とを有し、
前記導光部材が、前記光源からの光を前記第１の方向へ導く導光穴を有することを特徴とする請求項３に記載のデジタルカメラ。
【請求項５】
前記光源部が、光を放射する光源と、
前記液晶パネルと対向し、前記光源部からの光を前記液晶パネル全体に向けて放射する放射面と、前記光源からの光を前記放射面へ導く導光部材とを有し、
前記導光部材が、前記光源からの光を前記第１の方向へ導く導光穴を有することを特徴とする請求項１に記載のデジタルカメラ。
【請求項６】
撮影光学系により形成される被写体像を表示するための光変調ユニットと、
被写体のある第１の方向と、被写体像の視認のため光変調ユニットの位置する第２の方向へ光を同時に放射する光源部と、
前記第１の方向に向けて放射される光を、通常撮影時には遮蔽し、接写時には被写体へ伝達可能にする接写部材とを備えることを特徴とする撮影装置。
【請求項７】
撮影光学系により形成される被写体像を表示するように光を変調させ、
被写体のある第１の方向と、被写体像の視認のため液晶パネルの位置する第２の方向へ光を同時に放射させ、
前記第１の方向に向けて放射される光を、通常撮影時には遮蔽し、接写時には被写体へ伝達することを特徴とする撮影方法。
【発明の詳細な説明】
【０００１】
【発明の属する技術分野】
本発明は、液晶モニタ等に被写体像を表示可能なデジタルカメラ、撮影機能付き携帯電話等に関し、特に、接写時における被写体への照明に関する。
【０００２】
【従来の技術】
従来、被写体へカメラを接近させて撮影する時に照明光が不足する場合、液晶モニタのバックライトから放射される光を利用する方法が知られている（特許文献１参照）。特許文献１では、カメラ本体に対して回転自在な液晶表示装置を被写体側へ向くように回転させ、バックライト光を照明光として利用する。あるいは、液晶パネルに対して回転自在に独立したバックライトを回転させることで、バックライト光を被写体へ照射させる。
【０００３】
【特許文献１】
特開２００２−１６９１９８号公報  （第１図〜第１０図）
【０００４】
【発明が解決しようとする課題】
接写時に液晶モニタを回転させて被写体に向けた場合、液晶モニタ画面は被写体側（カメラ前面側）を向いているので、カメラ背面側にいる撮影者が液晶モニタの表示内容を確認することが難しい。一方、回転自在なバックライトユニットを接写時に回転させた場合、バックライトの光は液晶モニタの配置された方向とは異なる被写体方向へ向かって放射されるため、液晶モニタ上の映像は暗くなり、撮影内容の確認が困難となる。
【０００５】
液晶モニタを通して撮影内容が確認できない場合、ファインダを介して被写体を視認することになるが、接写ではいわゆるパララックス（ファインダ像と撮影レンズによる記録画像との差）が大きくなるため、記録される被写体の構図、撮影範囲を記録前に確認することができない。
【０００６】
そこで本発明では、接写時に照明することができるとともに、接写時においても記録される被写体像の構図、撮影範囲を正確に確認することができるデジタルカメラ、撮影装置、撮影方法を提供することを目的とする。
【０００７】
【課題を解決するための手段】
本発明のデジタルカメラは、被写体像を表示する液晶パネルと、光源部とを有している。光源部は、被写体像の視認のため光を液晶パネルのある方向（第２の方向）に沿って放射し、液晶パネルは、この光を変調させて被写体像を表示する。また光源部は、液晶パネル全体に光を放射するのと同時に、接写時の被写体照明のために、カメラ前面側の方向（第１の方向）に沿って光を放射する。この被写体への光の放射は、接写部材によって選択的に行われる。すなわち、接写時において接写部材が光の伝達を可能にするため、光が被写体に放射され、通常撮影においては、被写体の照明が不要であるため、光を遮蔽する。ここで通常撮影とは、接写以外の撮影であり、被写体がカメラから十分に離れている状態での撮影を意味する。このように接写時においては、光が同時に２方向に伝達されるため、被写体の照明と、被写体像の表示の両方が同時に可能となる。
【０００８】
光源部が被写体側へ放射する光の伝達と遮蔽を切替る接写部材は、例えばデジタルカメラの前面に形成される開閉自在な開閉部材であっても良い。通常撮影において開閉部材は、カメラ表面の一部を構成するように閉じてあり、光を遮蔽することにより被写体を照明しない。一方、接写時においては、開閉部材は開放され、光を伝達することにより被写体の照明を可能にする。
【０００９】
例えば光源部は、光源部に対してカメラ背面側に位置する液晶パネル全体に向けて光を放射する放射面を有している。簡易な構造によって光を伝達するため、光源部の放射面とは反対の前面（被写体）側表面は、導光板と金属板とを有する導光部材によって形成され、光をカメラ前面側に放射（第１の方向）するための導光穴が設けられていることが好ましい。
【００１０】
本発明においては、接写時の被写体照明は、カメラ前面の開閉部材の開放により可能となるため、光源部および液晶パネルは移動されず、所定の位置に設置されたままである。従って、本発明において撮影者は、接写時にファインダ接眼レンズを介した視認ではなく、液晶パネルにより被写体像を確認することができる。液晶パネルによる被写体像の確認は、パララックス（ファインダ像と撮影レンズの違いによる記録画像との差）による影響がなく、記録される被写体の構図、撮影範囲を撮影前に確認できるために、ファインダ接眼レンズを介した視認よりも良い。
【００１１】
本発明においては、光の遮蔽、伝達の切替え可能な接写部材をカメラ前面に設置することにより被写体の選択的照明を実現している。このため、被写体への光の放射は、光源部、液晶パネルを回転もしくは移動することなしに、接写部材の操作により行われるため、光源部や液晶パネルを回転、移動させる機構をカメラ本体に設ける必要がなく、カメラの構造を簡素化することができる。
【００１２】
本発明の撮影用装置は、デジタルムービーカメラ、あるいは撮影機能付き携帯機器にも適用することができる装置である。撮影光学系により形成される被写体像を表示するための光変調ユニットと、被写体のある第１の方向および被写体像の視認のため光変調ユニットの位置する第２の方向へ光を同時に放射する光源部とを有する。さらに、通常撮影時には第１の方向に向けて放射される光を遮蔽し、接写時には第１の方向に向けて放射される光を、被写体へ伝達することができる接写部材とを備えている。
【００１３】
本発明の撮影方法においては、光源部は被写体のある第１の方向と、被写体像の視認のため液晶パネルの位置する第２の方向へ光を同時に放射する。液晶パネルは、撮影光学系により形成される被写体像を表示するため、第２の方向へ放射された光を変調する。接写部材は、第１の方向に向けて放射される光を、通常撮影時には遮蔽し、接写時には被写体へ伝達する。
【００１４】
【発明の実施の形態】
以下では、図面を参照して本発明の実施形態であるデジタルスチルカメラについて説明する。
【００１５】
図１は、本実施形態であるデジタルスチルカメラ１０の正面図である。図２は、デジタルスチルカメラ１０の背面図である。
【００１６】
デジタルスチルカメラの前面１０Ｆには、ファインダ１１の対物レンズ１１Ａ、鏡筒１２、およびバックライトカバー１６が設けられている。一方、デジタルスチルカメラの背面１０Ｂには、ファインダ１１の接眼レンズ１１Ｂ、設定ボタン１７、液晶カバー２４が設けられている。デジタルスチルカメラ１０本体内部には液晶表示パネル２０が設けられており、液晶カバー２４を介して撮影光学系（図示せず）により捉えられた被写体像を視認することができる。設定ボタン１７に対する操作によって撮影モードが選択されると、被写体像が、液晶表示パネル２０上に動画像として表示される。撮影者は、液晶表示パネル２０で構図を検討しながらレリーズボタン１３を押下し、これにより被写体像が記録される。
【００１７】
図３は、バックライトカバー１６が開いた状態でのデジタルスチルカメラ１０の側面図であり、図４は、バックライトカバー１６が開いた状態でのデジタルスチルカメラ１０の正面図である。
【００１８】
バックライトカバー１６は、デジタルスチルカメラ前面１０Ｆの一部を構成するとともに、その下方に設けられた回転軸１６Ｐを中心に開閉する。通常撮影（被写体とカメラとの距離が十分にある撮影）時には、バックライトカバー１６は閉じており、接写時には、照明が十分でない場合など、必要に応じてバックライトカバー１６が開かれる。デジタルスチルカメラ１０内には、バックライトカバー１６と液晶表示パネル２０の間にバックライトユニット１８が設けられており、バックライトカバー１６が開くと、バックライトユニット１８の表面２８Ｓが被写体へ向く。そして、デジタルスチルカメラ１０内に設けられたバックライトユニット表面２８Ｓの一部に形成された金属板穴２８Ｌから光が放射され、近接距離にある被写体へ照射される。
【００１９】
図５は、図４のＶ−Ｖに沿ったデジタルスチルカメラ１０の断面図である。図６は、図４のＶＩ−ＶＩに沿ったデジタルスチルカメラ１０の断面図である。ただしここでは、バックライトユニット１８、液晶表示パネル２０部分のみ断面図として示している。
【００２０】
バックライトユニット１８には、乳白板２６、乳白板２６の明るさを均等に保つための導光板２７、金属板２８、光源３０が含まれる。光源３０からの光は導光板２７によって放射面１８Ｆへ導かれ、放射面１８Ｆ全体から液晶表示パネル２０全体へ向けて光が放射される。また、液晶表示パネル２０は、第１偏光板３２、第１ガラス板３４、液晶３６、第２ガラス板３８、及び第２偏光板４０を有し、第１ガラス板３４あるいは第２ガラス板３８内には、ＲＧＢのカラーフィルタがマトリクス状に規則的に並んでいる。液晶表示パネル２０は、デジタルスチルカメラ１０に設けられた駆動回路（図示せず）によって駆動されており、撮影光学系２２により捉えられた被写体像が撮影素子（図示せず）に形成されると、撮影素子から画像信号が読み出され、所定の処理が施された画像信号に基いて駆動回路が液晶表示パネル２０を駆動する。
【００２１】
上述したように、金属板２８のデジタルスチルカメラ前面１０Ｆ側を向く表面、すなわちバックライトユニット表面２８Ｓには、矩形状の金属板穴２８Ｌが形成されており（図４参照）、光源３０からの光の一部は、金属板穴２８Ｌを通ってバックライトユニット表面２８Ｓからカメラ前面側へ放射される。このため、接写時においてバックライトカバー１６が開放された場合、バックライトユニット１８の表面２８Ｓから放射された光が、被写体に到達する。この時、光源３０からの光の一部は、導光板２７によって液晶表示パネル２０へ向けて放射されており、被写体像はカメラ背面側にいる撮影者によって十分視認されている。
【００２２】
このように本実施形態によれば、カメラ前面にバックライトカバー１６が設けられ、バックライトユニット１８の表面２８Ｓに金属板穴２８Ｌが形成されている。本実施形態においては、接写の際にバックライトユニット１８が、被写体と液晶表示パネル２０のいずれをも照射するため、通常の撮影時と同様に被写体像を視認できる。このため撮影者は、接写時にも正確な撮影範囲を確認できる。
【００２３】
なお、本実施形態においては、デジタルスチルカメラを示しているが、デジタルムービーカメラ、あるいは撮影機能付き携帯機器に適用しても良い。また、バックライトカバー１６は、開閉により光の伝達、遮蔽を切替えるが、開閉以外の構成により光の伝達、遮蔽の切替えを行っても良い。
【００２４】
バックライトユニット表面２８Ｓに金属板穴２８Ｌが設けられ、光が被写体側にも放射されているが、金属板穴２８Ｌ以外の構成により光が伝達されても良い。本実施形態においては、液晶パネルが用いられているが、選択的に光を透過させる光変調ユニットとして他のものが使用されても良い。
【００２５】
【発明の効果】
以上のように本発明によれば、複雑な機構によらず接写時に被写体を照明することができるとともに、接写時においても、記録される被写体像の構図、撮影範囲を確認することができる。
【図面の簡単な説明】
【図１】本実施形態であるデジタルスチルカメラの正面図である。
【図２】デジタルスチルカメラの背面図である。
【図３】デジタルスチルカメラの側面図である。
【図４】バックライトカバーを開いた状態でのデジタルスチルカメラの正面図である。
【図５】デジタルスチルカメラの図４のＶ−Ｖに沿った断面図である。
【図６】デジタルスチルカメラの図４のＶＩ−ＶＩに沿った断面図である。
【符号の説明】
１０  デジタルスチルカメラ（デジタルカメラ）
１１  ファインダ
１１Ａ  ファインダの対物レンズ
１１Ｂ  ファインダの接眼レンズ
１６  バックライトカバー（接写部材）
１６Ｐ  回転軸（開閉部材）
１８  バックライトユニット（光源部）
１８Ｆ  放射面
２０  液晶表示パネル（液晶パネル）
２４  液晶カバー
２７  導光板（導光部材）
２８  金属板（導光部材）
２８Ｓ  バックライトユニット表面
２８Ｌ  金属板穴（導光穴）
３０  光源
【図１】
2004272158.tif 000003
【図２】
2004272158.tif 000004
【図３】
2004272158.tif 000005
【図４】
2004272158.tif 000006
【図５】
2004272158.tif 000007
【図６】
2004272158.tif 000008